(57)【要約】      （修正有）【課題】ネットの特殊な組み立て構造により充分に泡立てうる本来の泡立て機能と共に、ネットへの付加物質の作用による還元作用や洗浄作用で肌の美容効果や衛生効果を生起することができる美容補助泡立てネットを提供する。【解決手段】縦型の網目円筒体を上部が一部残った状態でその下方の中途部で表裏反転して上方に折り返し、反転折り返し部分は二重網目泡立て部２とし、二重網目泡立て部２の外周面をその上部が一部残った状態で紐状体により緊締して折り返し緊締部３とする。二重網目泡立て部２は折り返し緊締部３から表裏反転することにより折り返して形成した緊締部３上方の折り返し代２′を外方から被覆した状態とし、しかも、網目円筒体で形成される所定空間をボール収納部４とし、ボール収納部４に、マグネシウムセラミックボールを複数個収納する。【選択図】図２
0003188351.tif 000002
【実用新案登録請求の範囲】
【請求項１】
縦型の網目円筒体を上部が一部残った状態でその下方の中途部で表裏反転して上方に折り返し、反転折り返し部分は二重網目泡立て部とし、二重網目泡立て部の外周面をその上部が一部残った状態で紐状体により緊締して折り返し緊締部とすると共に、二重網目泡立て部は折り返し緊締部から表裏反転することにより折り返して形成した緊締部上方の折り返し代を外方から被覆した状態とし、しかも、網目円筒体で形成される所定空間をボール収納部とし、ボール収納部に、マグネシウムセラミックボールを複数個収納したことを特徴とする美容補助泡立てネット。
【請求項２】
前記ボール収納部は、前記折り返し緊締部上方の折り返し代をその上部が一部残った網目円筒体の部分を一重網目ボール収納部とし、その上部開口部を閉塞すべく外周面を紐状体により緊締してボール緊締部したことを特徴とする請求項1に記載の美容補助泡立てネット。
【請求項３】
前記ボール収納部は、前記二重網目泡立て部の折り返し内部空間に形成したことを特徴とする請求項1に記載の美容補助泡立てネット。
【請求項４】
網目円筒体の内部において折り返し緊締部内からリード付きグリップ環を吊下し、二重網目泡立て部を折り返し緊締部から表裏反転することにより一重網目ボール収納部及びその外方で折り返して形成した緊締部上方の折り返し代を外方から被覆した状態とした場合にグリップ環が外方に露出して泡立て使用に際して指係合機能を果たすように構成したことを特徴とする請求項２に記載の美容補助泡立てネット。
【請求項５】
網目円筒体の内部において折り返し緊締部内からリード付きグリップ環を吊下し、二重網目泡立て部を折り返し緊締部から表裏反転することにより緊締部上方の折り返し代を外方から被覆した状態とした場合にグリップ環が外方に露出して泡立て使用に際して指係合機能を果たすように構成したことを特徴とする請求項３に記載の美容補助泡立てネット。
【請求項６】
前記マグネシウムセラミックボールは、洗浄剤等との接触で生じる泡に還元性をもたせることを特徴とする請求項１〜請求項５の何れか１項に記載の美容補助泡立てネット。
【考案の詳細な説明】
【技術分野】
【０００１】
この考案は、石鹸液を付着させて肌洗浄の泡立てを行いながらマグネシウムセラミックボールにより美容の補助機能も果たすことができる美容補助泡立てネットに関する。
【背景技術】
【０００２】
従来、肌の洗浄に際して石鹸液などの洗浄剤をきめ細かく泡立てるための道具として網目状のネットを利用した道具が種々開発されている。
【０００３】
たとえば、特許文献１に記載された泡立て具は、ネットを折返すことにより袋体を形成し、その内部にボール材を収納し、使用時にボール材と洗浄剤との接触面積を拡大してきめの細かい泡を大量に立てることができるものである。
【０００４】
また、特許文献２に記載された泡立て具は、筒状のネットを中途から表裏折り返し、ネット地を複数枚にして泡立ち効率を上げると共に、折り返したネットの所定位置外表面を紐で緊締して袋状空間を形成し、その内部に遠赤外線用のボールやマイナスイオン用のトルマリンを収納したものがある。
【先行技術文献】
【特許文献】
【０００５】
【特許文献１】特開２００９−２０７７２４号公報
【特許文献２】実用新案登録第３１４９０２９号公報
【考案の概要】
【考案が解決しようとする課題】
【０００６】
しかし、従来の泡立てネットは、泡を充分に立てるという作用を主眼にし、化学的成分や他の機能を有する成分材を付加して遠赤外線やイオンにより脱臭や抗菌作用を目的としたものであったが、全体としてネットの構造が複雑で作成に余分な労力とコストを要し、含有成分の取り換えの手間の煩雑性や長期間の使用に耐えうる可能性の低さの点で普及しにくい欠点があった。
【０００７】
本考案は、ネットの特殊な組み立て構造により充分に泡立てうる本来の泡立て機能と共に、ネットへの付加物質の作用による還元作用や洗浄作用で肌の美容効果や衛生効果を生起することができる美容補助泡立てネットを提供するものである。
【課題を解決するための手段】
【０００８】
請求項１の考案は、縦型の網目円筒体を上部が一部残った状態でその下方の中途部で表裏反転して上方に折り返し、反転折り返し部分は二重網目泡立て部とし、二重網目泡立て部の外周面をその上部が一部残った状態で紐状体により緊締して折り返し緊締部とすると共に、二重網目泡立て部は折り返し緊締部から表裏反転することにより折り返して形成した緊締部上方の折り返し代を外方から被覆した状態とし、しかも、網目円筒体で形成される所定空間をボール収納部とし、ボール収納部に、マグネシウムセラミックボールを複数個収納したことを特徴とする美容補助泡立てネットを提供するものである。
【０００９】
請求項２の考案は、前記ボール収納部は、前記折り返し緊締部上方の折り返し代をその上部が一部残った網目円筒体の部分を一重網目ボール収納部とし、その上部開口部を閉塞すべく外周面を紐状体により緊締してボール緊締部したことにも特徴を有する。
【００１０】
請求項３の考案は、前記ボール収納部は、前記二重網目泡立て部の折り返し内部空間に形成したことにも特徴を有する。
【００１１】
請求項４の考案は、網目円筒体の内部において折り返し緊締部内からリード付きグリップ環を吊下し、二重網目泡立て部を折り返し緊締部から表裏反転することにより一重網目ボール収納部及びその外方で折り返して形成した緊締部上方の折り返し代を外方から被覆した状態とした場合にグリップ環が外方に露出して泡立て使用に際して指係合機能を果たすように構成したことにも特徴を有する。
【００１２】
請求項５の考案は、網目円筒体の内部において折り返し緊締部内からリード付きグリップ環を吊下し、二重網目泡立て部を折り返し緊締部から表裏反転することにより緊締部上方の折り返し代を外方から被覆した状態とした場合にグリップ環が外方に露出して泡立て使用に際して指係合機能を果たすように構成したことにも特徴を有する。
【００１３】
請求項６の考案は、前記マグネシウムセラミックボールは、洗浄剤等との接触で生じる泡に還元性をもたせることにも特徴を有する。
【考案の効果】
【００１４】
請求項１の考案によれば、縦型の網目円筒体を上部が一部残った状態でその下方の中途部で表裏反転して上方に折り返し、反転折り返し部分は二重網目泡立て部とし、二重網目泡立て部の外周面をその上部が一部残った状態で紐状体により緊締して折り返し緊締部とすると共に、二重網目泡立て部は折り返し緊締部から表裏反転することにより折り返して形成した緊締部上方の折り返し代を外方から被覆した状態とし、しかも、網目円筒体で形成される所定空間をボール収納部とし、ボール収納部に、マグネシウムセラミックボールを複数個収納したことにより、石鹸と水による泡に皮脂酸性やタンパク質酸性を還元させる還元性を持たせる効果を有する。
【００１５】
請求項２の考案によれば、縦型の網目円筒体を上部が一部残った状態でその下方の中途部で表裏反転して上方に折り返し、反転折り返し部分は二重網目泡立て部とし、二重網目泡立て部の外周面をその上部が一部残った状態で紐状体により緊締して折り返し緊締部とすると共に、その上部が一部残った網目円筒体の部分は一重網目ボール収納部とし、一重網目ボール収納部にマグネシウムセラミックボールを複数個収納し、その上部開口部を閉塞すべく外周面を紐状体により緊締してボール緊締部とし、しかも、二重網目泡立て部は折り返し緊締部から表裏反転して一重網目ボール収納部及びその外方で折り返して形成した緊締部上方の折り返し代を外方から被覆した状態としたことにより、実際の使用形態ではまず二重網目泡立て部は最も広範囲の泡立て機能を有する主体的な構成の二重ネットを構成し、次いでその表裏折り返した内部には一重網目ボール収納部とその外方で折り返して形成した緊締部上方の折り返し代とが内包された状態となるため、まず一重網目ボール収納部は自身の一重網目とその外方の二重網目泡立て部の二重網目の合計により三重網目を構成することになり、更には、マグネシウムセラミックボール外方の過半部は一重網目ボール収納部の一重網目とその外周を覆う折り返し代の二重網目とその外方を覆う二重網目泡立て部の二重網目とにより全体で五重網目を構成することになる。従って、特にボールの周辺は五重網目という多層のネットが重複して存在するために更なる泡立ち機能を発揮すると共に、マグネシウムセラミックボールの化学成分も緻密な大量の泡立ちと相乗して肌の美容や衛生効果をさらに増幅させる効果を有する。
【００１６】
更には、二重網目泡立て部から一重網目ボール収納部、その外周を覆う折り返し代と順に網目の重なりが増加して洗浄初期は通常の泡立ち状態を維持しながら肌の大きな汚れを洗浄し、徐々に洗浄が進行するに従って二重網目泡立て部の内部の多層のネットが機能してよりきめの細かい多量の泡立ちを生起して肌から微細な汚れや取れにくい付着物を除去することができる効果がある。
【００１７】
請求項３の考案によれば、縦型の網目円筒体をその下方の中途部で表裏反転して上方に折り返し、反転折り返し部分は二重網目泡立て部とし、二重網目泡立て部内に形成されたボール収納部にマグネシウムセラミックボールを複数個収納し、二重網目泡立て部の外周面をその上部が一部残った状態で紐状体により緊締して折り返し緊締部とすると共に、しかも、二重網目泡立て部は折り返し緊締部から表裏反転することにより、ボール収納部においてマグネシウムセラミックボールを環状に分散して配置されるため、マグネシウムボールそれぞれが石鹸等とより接触でき、使用時にきめの細かい多量の泡立ちを生起して肌から微細な汚れや取れにくい付着物を除去することができる。また、マグネシウムセラミックボールの化学成分も緻密な大量の泡立ちと相乗して肌の美容や衛生効果をさらに増幅させる効果を有する。
【００１８】
請求項４の考案によれば、網目円筒体の内部で折り返し緊締部内からはリード付きグリップ環を吊下し、二重網目泡立て部を折り返し緊締部から表裏反転して一重網目ボール収納部及びその外方で折り返して形成した緊締部上方の折り返し代を外方から被覆した状態とした場合にグリップ環が外方に露出して泡立て使用に際しての指係合機能を果たすように構成したことにより、二重網目泡立て部を把持することなくリード付きグリップ環を指などに係合し、折り返し緊締部で表裏折り返して形成した円形頭部を手掌で柔らかく包んだ状態で泡立て洗浄作業を行うことができ美容補助泡立てネットの使用がより効果的にかつ簡易に行える効果がある。
【００１９】
請求項５の考案によれば、網目円筒体の内部において折り返し緊締部内からリード付きグリップ環を吊下し、二重網目泡立て部を折り返し緊締部から表裏反転することにより緊締部上方の折り返し代を外方から被覆した状態とした場合にグリップ環が外方に露出して泡立て使用に際して指係合機能を果たすように構成したことをことにより、二重網目泡立て部を把持することなくリード付きグリップ環を指などに係合し、折り返し緊締部で表裏折り返して形成した円形頭部を手掌で柔らかく包んだ状態で泡立て洗浄作業を行うことができ美容補助泡立てネットの使用がより効果的にかつ簡易に行える効果がある。
【００２０】
請求項６の考案によれば、前記マグネシウムセラミックボールは、水を酸化還元電位−３５０ｍＶ〜６５０ｍＶで安定し、ｐＨ値は７．５〜８．５に安定する性質を有するため、使用時に洗浄剤等との接触で生じる泡に還元水素水を発生させ還元性をもたせることで、使用者の肌の皮脂酸性やタンパク質酸性を還元することができる効果がある。
【図面の簡単な説明】
【００２１】
【図１Ａ】本考案の美容補助泡立てネットの作成過程を説明した説明図である。
【図１Ｂ】本考案の美容補助泡立てネットの作成過程を説明した説明図である。
【図２】完成した本考案の美容補助泡立てネットの縦断面説明図である。
【図３】図２のI−I線，II−II線，III−III線における横断面図である。
【図４】本考案の美容補助泡立てネットの使用状態を示す説明図である。
【図５】本考案の他の実施例の美容補助泡立てネットの作成過程を説明した説明図である。
【図６】完成した本考案の他の実施例の美容補助泡立てネットの縦断面説明図である。
【図７】図６のIV−IV線における横断面図である。
【図８】本考案の他の実施例の美容補助泡立てネットの使用状態を示す説明図である。
【考案を実施するための形態】
【００２２】
この考案の実施例を図面に基づき詳細に説明する。
【００２３】
図１Ａ，Ｂは、本考案の美容補助泡立てネットＡの作成過程を説明した説明図であり、図２は、かかる作成過程を経て完成した本考案の美容補助泡立てネットＡの縦断面説明図、図３（ａ）は、図２のIII−III線における横断面図、図３（ｂ）は、図２のII−II線における横断面図、図３（ｃ）は、図２の−線における横断面図、図４は、本考案の美容補助泡立てネットＡの使用状態を示す説明図を示している。
【００２４】
図１Ａ（ａ）は、縦型の網目円筒体１を上部が一部残った状態でその下方の中途部で表裏反転して上方に折り返し、反転折り返し部分は二重網目泡立て部２とした過程を示している。
【００２５】
すなわち、予め縦型の網目円筒体１を用意しておき、この網目円筒体１を表裏折り返したり、所定箇所を紐状体により緊締したりすることにより本考案の美容補助泡立てネットＡを作成することができる。
【００２６】
図１Ａ（ｂ）は、二重網目泡立て部２の外周面をその上部の折り返し代２´が一部残った状態で紐状体により緊締して折り返し緊締部３とする過程を示している。折り返し緊締部３は紐状体３´と外周を縛って緊締することにより形成する。
【００２７】
図１Ａ（ｃ）は、二重網目泡立て部２の上部の折り返し代２´が一重のまま残った網目円筒体１を一重網目ボール収納部４とし、一重網目ボール収納部４にマグネシウムセラミックボールＢを複数個収納する過程を示している。
【００２８】
図１Ａ（ｄ）は、一重網目ボール収納部４の上部開口部を閉塞すべく外周面を紐状体５´により緊締してボール緊締部５とする過程を示している。
【００２９】
図１Ｂ（ｅ）は、二重網目泡立て部２を折り返し緊締部３から表裏反転することにより一重網目ボール収納部４及び折り返し緊締部３上方の折り返し代２´を外方から被覆する過程を示している。
【００３０】
図２は、網目円筒体１の内部において折り返し緊締部３内からリード付きグリップ環Ｃを吊下し、二重網目泡立て部２を折り返し緊締部３から表裏反転して一重網目ボール収納部４及びその外方で折り返して形成した緊締部上方の折り返し代２´を外周から被覆した状態とした場合に、グリップ環Ｃが外方に露出して泡立て使用に際しての指係合機能を果たすように構成した状態を示す説明図である。
【００３１】
このようにして完成した本考案の美容補助泡立てネットＡにおいては、図３（ｃ）に示すように、二重網目泡立て部２が最も広範囲の泡立て機能を有する主体的な構成の二重ネットを構成している。
【００３２】
次いでその表裏折り返した内部には一重網目ボール収納部４及びその外方で折り返して形成した緊締部上方の折り返し代２´が内包された状態となっている。
【００３３】
このように、一重網目ボール収納部４は自身の一重網目とその外方の二重網目泡立て部２の二重網目の合計により図３（ｂ）のように三重網目を構成する。
【００３４】
更には、図３（ａ）に示すように、マグネシウムセラミックボールＢを収納した一重網目ボール収納部４外方の過半部は一重網目ボール収納部４の一重網目及びその外周を覆う折り返し代２´の一重網目とその外方を更に覆う二重網目泡立て部２の二重網目とにより全体で四重網目を構成する。
【００３５】
従って、特にボールの周辺は四重網目という多層のネットが重複し更なる泡立ち機能を発揮するように構成している。
【００３６】
特に、マグネシウムセラミックボールＢの化学成分も緻密な大量の泡立ちと相乗して肌の美容や衛生効果をさらに増幅させる。
【００３７】
前記マグネシウムセラミックボールＢは、亜鉛とマグネシウムとカルシウムと硫黄とを混合させて生成される。本実施例におけるマグネシウムセラミックボールＢの成分比は、亜鉛約５５重量％，マグネシウム約２３重量％，カルシウム約１２重量％，硫黄約６重量％である。
【００３８】
前記マグネシウムセラミックボールＢは、表面は多孔質であり、強度は人間の指で潰れない程度の硬さに成形されており、その大きさは、直径が約３〜８ｍｍ程の略球状に形成されている。
【００３９】
前記マグネシウムセラミックボールＢの収納する個数は、何個であってもよいが、少なくとも５個以上であることが好ましい。
【００４０】
また、本実施例におけるマグネシウムセラミックボールＢは、水の中に入れると、水を酸化還元電位−３５０ｍＶ〜６５０ｍＶで安定し、ｐＨ値は７．５〜８．５に安定する性質を有するものである。
【００４１】
上記のように構成したため、本美容補助泡立てネットＡの使用時に生じる泡に還元性水素水を発生させ還元性をもたせることで、使用者の肌の皮脂酸性やタンパク質酸性を還元することができる。更には、血行促進、マイナスイオンの発生、肌の角質柔軟効果、皮膚の刺激、網目と押圧するボールの指圧類似の効果による相乗効果をもたらすことができる。
【００４２】
このように二重網目泡立て部２から一重網目ボール収納部４、その外周を覆う折り返し代２´と順に網目の重なりが増加して洗浄初期は通常の泡立ち状態を維持しながら肌の大きな汚れを洗浄し、徐々に洗浄が進行するに従って二重網目泡立て部２の内部の多層のネットが機能してよりきめの細かい多量の泡立ちを生起して肌から微細な汚れや取れにくい付着物を除去することができる。
【００４３】
また、網目円筒体１の内部において折り返し緊締部３内からはリード付きグリップ環Ｃを吊下し、二重網目泡立て部２を折り返し緊締部３から表裏反転して一重網目ボール収納部４及びその外方で折り返して形成した緊締部上方の折り返し代２´を外方から被覆した状態とすることにより、グリップ環Ｃが外方に露出することになり、泡立て使用に際しての指係合機能を果たすように構成した。
【００４４】
従って、図４に示すように、二重網目泡立て部２を外部から把持しなくてもリード付きグリップ環Ｃを指などに係合して容易に美容補助泡立てネットの使用が可能となる。
【００４５】
また、図５は、本考案の他の実施例の美容補助泡立てネットの作成過程を説明した説明図であり、図６は、完成した本考案の他の実施例の美容補助泡立てネットの縦断面説明図、図７は、図６のIV−IV線における横断面図、図８は、本考案の他の実施例の美容補助泡立てネットの使用状態を示す説明図を示している。
【００４６】
図５（ａ）は、縦型の網目円筒体１０をその下方の中途部で表裏反転して上方に折り返し、反転折り返し部分は二重網目泡立て部２０とした過程を示している。
【００４７】
また、前記二重網目泡立て部２０の反転折り返し部分との間に形成された空間をボール収納部４０とし、ボール収納部４０にマグネシウムセラミックボールＢを複数個収納する過程を示している。
【００４８】
すなわち、予め縦型の網目円筒体１０を用意しておき、この網目円筒体１０を表裏折り返し、ボール収納部４０を形成してマグネシウムセラミックボールＢを収納して、所定箇所を紐状体により緊締したりすることにより本考案の美容補助泡立てネットＡ´を作成することができる。
【００４９】
図５（ｂ），（ｃ）は、二重網目泡立て部２０の外周面をその上部の折り返し代２０´が一部残った状態で紐状体により緊締して折り返し緊締部３０とする過程を示している。折り返し緊締部３０は紐状体３０´と外周を縛って緊締することにより形成する。
【００５０】
図５（ｄ）は、二重網目泡立て部２０を折り返し緊締部３０から表裏反転することにより折り返し緊締部３０上方の折り返し代２０´を外方から被覆する過程を示している。
【００５１】
図６は、網目円筒体１０の内部において折り返し緊締部３０内からリード付きグリップ環Ｃを吊下し、二重網目泡立て部２０を折り返し緊締部３０から表裏反転して緊締部上方の折り返し代２０´を外周から被覆した状態とした場合に、グリップ環Ｃが外方に露出して泡立て使用に際しての指係合機能を果たすように構成した状態を示す説明図である。
【００５２】
このようにして完成した本考案の他の実施例の美容補助泡立てネットＡ´においては、二重網目泡立て部２が最も広範囲の泡立て機能を有する主体的な構成の二重ネットを構成している。
【００５３】
次いでその表裏折り返した内部には二重網目泡立て部２０内のボール収納部４０及び折り返し代２０´が内包された状態となっている。
【００５４】
上記のように構成したため、二重網目泡立て部２０内のボール収納部４０には、図７に示すように、円筒状に沿って環状に分散してマグネシウムセラミックボールＢが配置される。
【００５５】
従って、本泡立てネットＡ´使用する際には、図８に示すように、グリップ環Ｃを指に係合した状態で、掌の上で二重網目泡立て部２０全体にマグネシウムセラミックボールＢが分散する。
【００５６】
このため、マグネシウムセラミックボールＢと泡の接触面積が増えて、ネット上で発生する泡に還元性水素水を満遍なく生じさせることができ、使用者の肌の皮脂酸性やタンパク質酸性を還元することができる。
【００５７】
また、マグネシウムセラミックボールＢと石鹸等との接触面積が増えることにより、きめ細やかな泡を作り出すことも可能となる。
【００５８】
なお、本発明は上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【符号の説明】
【００５９】
１    ：網目円筒体
２    ：二重網目泡立て部
２´  ：折り返し代
３    ：緊締部
３´  ：紐状体
４    ：一重網目ボール収納部
５    ：ボール緊締部
５´  ：紐状体
１０  ：網目円筒体
２０  ：二重網目泡立て部
２０´：折り返し代
３０  ：緊締部
３０´：紐状体
４０  ：ボール収納部
Ａ，Ａ´：美容補助泡立てネット
Ｂ      ：ボール
Ｃ      ：グリップ環
【図１Ａ】
0003188351.tif 000003
【図１Ｂ】
0003188351.tif 000004
【図２】
0003188351.tif 000005
【図３】
0003188351.tif 000006
【図４】
0003188351.tif 000007
【図５】
0003188351.tif 000008
【図６】
0003188351.tif 000009
【図７】
0003188351.tif 000010
【図８】
0003188351.tif 000011